(57)【要約】【課題】内部に収容物を収容可能な蓋体構造であって、収容物と、容器内の物質とを混合する際に、大きな力を要せず収容物を解放可能で、蓋体構造を締め直す作業を必要とせずに、容器を振ることができ、容器内に飲料などが残らない構造を実現する。【解決手段】容器５の開口部６のネジ部２８と螺合するネジ部２９と、容器５の開口部６に内嵌する円筒部２６とを備える主キャップ２ａと、主キャップ２ａの一部に相対回転可能かつ軸方向の変位を阻止された状態で組み付けられ、円筒部２６の内径側に配置され、軸方向に伸長した軸部４０を備える副キャップ３ａと、主キャップ２ａの径方向内側に形成される収容部２０ａと、収容部２０ａと、容器５の内部空間２２との間を仕切り、副キャップ３ａの回転運動を、直線運動に変換する回転力変換機構を介して副キャップ３ａに組み付けられている底蓋４ａとを備え、副キャップ３ａの回転に伴い、底蓋４ａが軸方向に変位した状態で、収容部２０ａと容器５の内部空間２２とが連通する構造である。【選択図】図３
2011219149.tif 000002
【特許請求の範囲】
【請求項１】
ネジ部を有する容器の開口部に取り付けられる蓋体構造であって、
前記容器の開口部のネジ部と螺合するネジ部と、前記容器の開口部に内嵌する円筒部とを備える、主キャップと、
前記主キャップの一部に、該主キャップに対する相対回転可能に、かつ軸方向の変位を阻止された状態で組み付けられるとともに、前記円筒部の内径側に配置され、軸方向に伸長する軸部を備える、副キャップと、
前記主キャップの径方向内側に形成される収容部と、
前記収容部と、前記容器の内部空間との間を仕切るとともに、前記副キャップの回転運動を、直線運動に変換する回転力変換機構を介して、該副キャップに組み付けられている、底蓋とを備え、
前記副キャップの回転に伴い、前記底蓋が軸方向に変位した状態で、前記収容部と前記内部空間とが連通することを特徴とする、容器の蓋体構造。
【請求項２】
前記回転力変換機構が、前記副キャップの軸部の他端部に形成されたネジ部と、前記主キャップに対する相対回転を阻止された状態で、該副キャップに組み付けられた前記底蓋に形成されたネジ部との螺合により構成されている、請求項１に記載した容器の蓋体構造。
【請求項３】
前記主キャップが、外側円筒部と内側円筒部とを備え、前記主キャップのネジ部は、該外側円筒部の内周面に形成されており、該内側円筒部が前記容器の開口部に内嵌する円筒部であって、該外側円筒部の一端は、該内側円筒部に円輪部を介して結合されている、請求項１または２に記載した容器の蓋体構造。
【請求項４】
前記副キャップの軸部が中空状であり、前記収容部が、該軸部の内周面の内側に形成されている、請求項３に記載した容器の蓋体構造。
【請求項５】
前記主キャップが、前記円輪部より軸方向一方側に突出する取付け円筒部を備え、前記副キャップが該取付け円筒部に嵌合する係合筒部を有し、組み付けられた状態で、前記取付け円筒部の一部と該係合筒部の一部とが軸方向に関して係合されることにより、該副キャップの該主キャップの一部に対する前記軸方向の相対変位が阻止された状態での組付けがなされている、請求項４に記載した容器の蓋体構造。
【請求項６】
前記副キャップが、他端面に軸保持筒部を有する前記係合筒部と、該係合筒部とは別体で設けられる前記軸部とからなり、前記収容部内に収納物が収納された状態で、該軸部の軸方向一端側の開口部が、シール部材により塞がれ、かつ軸方向他端側の開口部が、前記底蓋により塞がれることで、前記収容部が密閉されており、該密閉状態で、該軸部の軸方向一端側が前記軸保持筒部に内嵌固定される、請求項５に記載した容器の蓋体構造。
【請求項７】
前記副キャップの軸部が杆状であり、前記収容部が、前記主キャップの円筒部の内周面と、該副キャップの軸部の外周面との間に形成されている、請求項３に記載した容器の蓋体構造。
【請求項８】
前記主キャップが、前記円輪部より軸方向一方側に突出する取付け円筒部を備え、前記副キャップが該取付け円筒部に嵌合する係合筒部を有し、組み付けられた状態で、前記取付け円筒部の一部と該係合筒部の一部とが軸方向に関して係合されることにより、該副キャップの該主キャップの一部に対する前記軸方向の相対変位が阻止された状態での組付けがなされている、請求項７に記載した容器の蓋体構造。
【請求項９】
前記副キャップが、他端面に軸保持筒部を有する前記係合筒部と、該係合筒部とは別体で設けられる前記軸部とからなり、該軸部が前記軸保持筒部に内嵌固定される、請求項８に記載した容器の蓋体構造。
【請求項１０】
前記主キャップの円筒部に、前記底蓋が前記容器の内部空間に落下することを防止する、落下防止構造を備えている、請求項１〜９のいずれか１項に記載した容器の蓋体構造。
【請求項１１】
主キャップと、副キャップと、底蓋とを備え、外周面にネジ部を有する容器の開口部に取り付けられる蓋体構造であって、
前記主キャップは、
前記容器の開口部のネジ部と螺合するネジ部を内周面に有する外側円筒部と、
軸方向他端部に軸方向に伸長するスリットと係止リブを有する底部を備え、前記容器の開口部に内嵌する内側円筒部と、
該外側円筒部の一端部を該内側円筒部に連結する円輪部と、
該円輪部から軸方向一方側に突出する取付け円筒部とを備え、
前記副キャップは、
前記取付け円筒部に、相対回転可能に、かつ軸方向の変位が阻止された状態で、外嵌して組み付けられる係合筒部と、
該係合筒部と一体または別体で設けられ、該係合筒部の他端面から軸方向に伸長し、前記主キャップの内側円筒部に内嵌する大径部、および、該大径部の他端部からテーパ部を介して連続し、外周面にネジ部を有する小径部からなり、内周面の内側に中空状の収容部が設けられている軸部とを備え、
前記底蓋は、前記収容部の他端側開口を塞ぎ、内周面に前記副キャップのネジ部と螺合するネジ部を備え、外周面に前記主キャップの係止リブに係合する係止部を備え、
前記副キャップを回転させることで、前記底蓋が軸方向他端側にネジ送りにより変位し、該副キャップから解放されることにより、前記収容部と前記容器の内部空間とが連通するとともに、該底蓋は、前記主キャップの底部に保持されることを特徴とする、容器の蓋体構造。
【請求項１２】
前記軸部は、前記係合筒部とは別体で設けられており、該軸部の軸方向一端側の開口部が、シール部材により塞がれ、かつ軸方向他端側の開口部が、前記底蓋により塞がれることで、前記軸部の内周面の内側に設けられている収容部が密閉可能となっている、請求項１１に記載した容器の蓋体構造。
【請求項１３】
主キャップと、副キャップと、底蓋とを備え、外周面にネジ部を有する容器の開口部に取り付けられる蓋体構造であって、
前記主キャップは、
前記容器の開口部のネジ部と螺合するネジ部を内周面に有する外側円筒部と、
軸方向一端部に中央に取付孔を有する蓋部、および、軸方向他端部に軸方向に伸長する係止溝と開口部を備え、前記容器の開口部に内嵌する内側円筒部と、
該外側円筒部の一端部を該内側円筒部に連結する円輪部と、
該円輪部から軸方向一方側に突出する取付け円筒部と、
該内側円筒部の内周面の内側に設けられる中空状の収容部とを備え、
前記副キャップは、
前記取付け円筒部に、相対回転可能に、かつ軸方向の変位が阻止された状態で、外嵌して組み付けられる係合筒部と、
前記係合筒部の他端面から伸長し、前記内側円筒部の蓋部の取付孔に内嵌し、他端部の外周面にネジ部を有する軸部とを備え、
前記底蓋は、
一端側に前記主キャップの他端部の開口部の内径よりも大きい外径を有し、前記主キャップの係止溝に係合する係止部を有する大径部を備え、
他端側に前記主キャップの他端部の開口部に内嵌され、前記収容部の他端側開口を塞ぐ小径部を備え、
さらに、該大径部と小径部を連結し、前記副キャップの軸部の他端側に外嵌し、内周面に該軸部のネジ部と螺合するネジ部を有する底蓋軸部を備え、
前記副キャップを回転させることで、前記底蓋が軸方向他端側にネジ送りにより変位し、前記収容部と前記容器の内部空間とが連通するとともに、前記底蓋の大径部が前記主キャップの開口部に保持されることを特徴とする、容器の蓋体構造。
【請求項１４】
前記容器の開口部と、前記主キャップとの間にシール構造を備えている、請求項１〜１３のいずれか１項に記載した容器の蓋体構造。
【請求項１５】
前記主キャップと、前記副キャップとの間にシール構造を備えている、請求項１〜１４のいずれか１項に記載した容器の蓋体構造。
【請求項１６】
請求項１〜１５のいずれか１項に記載した蓋体構造を備える容器。
【発明の詳細な説明】
【技術分野】
【０００１】
この発明は、ペットボトルなどの容器の開口部に取り付けられる蓋体構造および該蓋体構造を用いた容器に関する。より具体的には、容器内の物質と分離した状態で、収容物を収容する収容部を備える蓋体構造であって、必要に応じて、収容物と容器内の物質との接触を可能とする、容器の蓋体構造に関する。
【背景技術】
【０００２】
従来、たとえば、ペットボトルなどの容器において、その開口部に取り付けられる蓋体構造に収容物を収容する収容部を設け、容器の内部にある液体などの物質と、蓋体の収容部に収納された、たとえば、粉末茶、粉末野菜、フリーズドライにより乾燥された物質、コンデンスミルクなどの濃縮液体、粉末果汁、スープ粉末、サプリメント、薬などの収容物とを、該蓋体を開栓する直前または同時に接触および混合することを可能とする蓋体構造が存在している。
【０００３】
たとえば、飲料容器の場合、容器内の液体と蓋体構造に収容された原材料とを飲用直前に混合することで、より新鮮な飲料を得ることができる。特に、茶飲料の場合、それ自体は光、酸素、熱などの影響で変質および変色しやすいため、商品管理をきめ細かく行う必要があるが、飲用直前に水と茶粉末とを混合できるようにすれば、このような細かい商品管理が不要となる点で有利である。
【０００４】
このような収納部を備える蓋体構造と該蓋体構造を用いた容器の従来例としては種々の構造のものが存在するが、その一例として、引用文献１〜３に開示されている構造を図１３に示す。蓋体構造であるボトルキャップ１は、主キャップ２と、副キャップ３と、底蓋４とを備える。
【０００５】
このうち、主キャップ２は、ペットボトル５の開口部６に外嵌されるキャップ本体７と、キャップ本体７の内径側に配され、軸方向両端が開口する円筒状の外筒部８とを、キャップ本体７の一端部と外筒部８の外周面の軸方向中間部とを結合するフランジ部９を介して、一体に形成したものである。外筒部８の一端側寄りの外周面には雄ネジ部１０が形成されており、外筒部８の他端側は開口部６に内嵌される。ここで、一端側または一方側とは、蓋体構造の軸方向の一方向側（構造の上側、容器の外側、図面の上側）をいい、他端側または他方側とは、蓋体構造の軸方向他方向側（構造の下側、容器の内側、図面の下側）をいうものとする。
【０００６】
副キャップ３は、係合筒部１１と、係合筒部１１の他端面から伸長する円筒状の内筒部１２とを、一体に形成したものである。係合筒部１１は、主キャップ２の外筒部８の一端側寄りに外嵌する円筒部１３と、円筒部１３の一端側開口部を塞ぐ蓋部１５とからなる有底円筒状の部材である。円筒部１３の内周面には、外筒部８の雄ネジ部１０と螺合する雌ネジ部１４が形成されている。また、円筒部１３の他端側の端縁には、主キャップ２に対して軸方向変位または相対回転を阻止された状態で固定される切離し部１６が設けられている。切離し部１６は、容器が未開封であることを証明する、いわゆるバージンシールの役割をするものである。
【０００７】
このような円筒部１３と切離し部１６との間には、全周にわたって切込み１７が形成されている。一方、内筒部１２は、蓋部１５の他端面から主キャップ２の外筒部８より長く伸長し、他端部の外周面に雄ネジ部１８が形成されている。そして、内筒１２に囲まれた内径側の空間を原材料１９の収容部２０としている。
【０００８】
底蓋４は、副キャップ３の内筒部１２の他端開口部に内嵌して塞ぐ形状を有し、外周部に設けられた折返しフランジ部７２の内周面に、副キャップ３の内筒部１２の雄ネジ部１８と螺合される雌ネジ部２１を備えている。底蓋４は、雌ネジ部２１と雄ネジ部１８とが螺合されることで、副キャップ３の内筒部１２の他端開口部が閉塞され、収容部２０が封止される。また、蓋部４は、折返しフランジ部７２の周方向の一部に設けられた凹部（図示せず）と、主キャップ２の外筒部８の他端縁の周方向一部に設けられた凸部（図示せず）とを係合させることにより、主キャップ２の外筒部８に対して相対回転が阻止されており、かつ、連結部材２３により、主キャップ２の外筒８に接続されている。
【０００９】
このようなボトルキャップ１を開栓する際、副キャップ３を所定の方向に回転させることで、切離し部１６を切り離し、副キャップ３を主キャップ２から一端側に分離するように変位させる。底蓋４は、主キャップ２の外筒８に対し相対回転を阻止されているので、内筒１２とともに回転することなく、副キャップ３のみが上側へ変位する。このため、副キャップ３の内筒部１２の雄ネジ部１８と、底蓋４の雌ネジ部２１との螺合が外れ、底蓋４は内筒部１２の下端から解放される。これにより、収容部２０と、ペットボトル５の内部空間２２とが連通し、原材料１９が、ペットボトル５の内部空間２２にある液体などの物質と接触する。なお、底蓋４と、主キャップ２の外筒部８とは、連結部材２３を介して結合されているため、底蓋４が内筒部１２から解放された状態で、外筒部８から垂下する。
【００１０】
このようなボトルキャップ１により、飲用直前に容器内の液体と収容物である原材料とを混合することが可能となり、より新鮮な飲料を得ることができる。ただし、副キャップ３を所定の方向に回転し、切離し部１６を切り離す動作には、大きな力が必要となる。また、原材料が液体と接触するだけでは、液体への原材料の溶解や液体と原材料との混合が十分になされない場合には、副キャップ３を開栓の場合と逆方向に回転して元の位置に戻した後、ペットボトル５を振る作業が必要となる。特に、ペットボトル５内の液体が炭酸水、または原材料が発泡錠剤などの場合には、一度開栓していることから、原材料と液体が混合した瞬間に発泡して溢れてしまうことも考えられる。また、飲用する際、副キャップ３は分離するものの、主キャップ２は、ペットボトル５の開口部６に組み付けられた状態であるため、主キャップ２の外筒部８の外周面と、ペットボトル５の開口部６の内周面との間の隙間２４に飲料が入り込み、容器内に飲料が残ってしまう可能性がある。また、前述のように、開栓後、底蓋４が主キャップ２の外筒部８から垂下した状態に保持されるため、外観面で好ましくない。
【００１１】
一方、特許文献４〜６には、主キャップの内周面と、副キャップの内周面とで構成する収容部の開口部をフィルム材などの蓋部材で塞ぐことで、収容部とペットボトルの内部とを仕切るボトルキャップの構造が記載されている。このようなボトルキャップを開栓する場合、副キャップを回転または押下することで、副キャップを主キャップに対して下方へ相対変位させる。これにより、副キャップの先端部または副キャップに取り付けられた部材の先端部により、蓋部材を突き破り、蓋体の収容部とペットボトルの内部とを連通する。このような構造の場合、主キャップと副キャップとの間にシール構造を備えていないため、主キャップと副キャップとの間の隙間が大きくなると飲料が外部に漏洩する可能性がある。また、蓋部材は、主キャップから垂下する状態に保持されるため、外観面で好ましくない。さらに、輸送時などに、副キャップに衝撃が加わった場合、意図せず原材料とペットボトル内の液体とが混合してしまうことも考えられる。このような意図しない混合を防止するために、副キャップの保護を強化することは、コストを増大させる要因となる。
【００１２】
特許文献７には、主キャップと、副キャップと、原材料を収容する収容体と、蓋部材とで構成するボトルキャップの構造が記載されている。このようなボトルキャップを開栓する場合、副キャップを回転させることで収容体を下方へ変位させる。これにより、収容体の下方をシールしているシート部材が、蓋部材の上面に設けられたカッタと当接して破断し、原材料が蓋部材上へと落下する。さらに、副キャップを回転して、収容体をさらに下方へ変位させると、収容体が、蓋部材を下方へ押し下げて蓋部材を落下させて、原材料をペットボトルの内部へと落下させる。このような構造の場合、構成部材が多いため、ボトルキャップとペットボトルとの間のシール構造が複雑になる。また、組立て作業、加工作業が複雑になるため、コストが増加することが考えられる。
【００１３】
特許文献８には、主キャップと、主キャップの上部に、原材料を収容する収容体とを備えたボトルキャップの構造が記載されている。収容体は、主キャップと対向する側に開口部を有し、開口部はシート部材で塞がれている。また、シート部材を主キャップと収容体とで挟持した状態で、シート部材の一部を、シート部材および主キャップの径方向外方へ延出した引抜き部としている。このようなボトルキャップを開栓する場合、引抜き部を径方向外方へ引き抜くことにより、原材料をペットボトルの内部へと落下させる。このような構造の場合、主キャップ、ペットボトルの開口部、シート部材の間のシール性を十分に確保することが難しいと考えられる。また、シート部材を抜き出した後の処理が必要になり、面倒である。
【００１４】
特許文献９には、容器の開口部に接着される収容容器を備えた、ボトルキャップの構造が記載されている。このようなボトルキャップを開栓する場合、容器の開口部と螺合しているボトルキャップを回転させることで、ボトルキャップを下方へと変位させる。ボトルキャップに一体に形成された突起部が、収容容器を突き破り、収容容器内に収容された原材料が、容器内に脱落する。このような構造の場合、収容容器が、開口部に接着された状態で残存するため、飲用の際に飲みづらい。また、収容容器を取り外して飲用するとしても、収容容器の処理が面倒である。また、収容容器に収納できる原材料の量も限られてしまう。
【先行技術文献】
【特許文献】
【００１５】
【特許文献１】特開２００８-１００７６７号公報
【特許文献２】特開２００９−２９４４５号公報
【特許文献３】特開２００７−６９９５２号公報
【特許文献４】特開２００４−８３０２２号公報
【特許文献５】特開２００７−２６９４０３号公報
【特許文献６】特開２００６−１３１２８３号公報
【特許文献７】特開２００７−２９０７５８号公報
【特許文献８】特開２００４−２６８９３０号公報
【特許文献９】特開２００３−３１０１５８号公報
【発明の概要】
【発明が解決しようとする課題】
【００１６】
本発明は、上述のような事情に鑑み、蓋体の収容部内の原材料などの収容物と、蓋体が取り付けられる容器内の液体などの物質とを接触および混合させる際に、大きな力を要せず、また、副キャップを締め直す作業を必要とせずに容器を振ることができ、容器内に飲料などが残らず、さらに容器の外観を損なわないことを可能とする、容器の蓋体構造の実現を目的としている。
【課題を解決するための手段】
【００１７】
本発明は、外周面にネジ部を有する容器の開口部に取り付けられる蓋体構造に係る。
【００１８】
特に、本発明の容器の蓋体構造は、（１）前記容器の開口部のネジ部と螺合するネジ部と、前記容器の開口部に内嵌する円筒部とを備える主キャップと、（２）前記主キャップの一部に該主キャップに対する相対回転可能、かつ軸方向の変位を阻止された状態で組み付けられ、前記円筒部の内径側に配置され、軸方向に伸長した軸部を備える副キャップと、（３）前記主キャップの径方向内側に形成される収容部と、（４）該収容部と、前記容器の内部空間との間を仕切り、前記副キャップの回転運動を、直線運動に変換する回転力変換機構を介して該副キャップに組み付けられている底蓋とを備える。
【００１９】
そして、前記副キャップの回転に伴い、前記底蓋が軸方向に変位することで、前記収容部が、前記内部空間と連通可能となることを特徴とする。
【００２０】
より具体的な構造では、前記回転力変換機構が、前記副キャップの軸部の他端部に形成されたネジ部と、前記主キャップに対する相対回転を阻止された状態で、該副キャップに組み付けられた前記底蓋に形成されたネジ部との螺合により構成される。
【００２１】
また、前記主キャップが、外側円筒部と内側円筒部とを備え、前記主キャップのネジ部は、該外側円筒部の内周面に形成されており、該内側円筒部が前記容器の開口部に内嵌する円筒部であって、該外側円筒部の一端は、該内側円筒部に円輪部を介して結合されている。
【００２２】
一態様では、前記副キャップの軸部が中空状であり、前記収容部が、該軸部の内周面の内側に形成されている。
【００２３】
さらに、前記主キャップが、前記円輪部より軸方向一方側に突出する取付け円筒部を備え、前記副キャップが該取付け円筒部に嵌合する係合筒部を有し、組み付けられた状態で、前記取付け円筒部の一部と該係合筒部の一部とが軸方向に関して係合されることにより、該副キャップの該主キャップの一部に対する前記軸方向の相対変位が阻止された状態での組付けがなされている。
【００２４】
より好ましくは、前記副キャップが、他端面に軸保持筒部を有する前記係合筒部と、該係合筒部とは別体で設けられる前記軸部とからなり、前記収容部内に収納物が収納された状態で、該軸部の軸方向一端側の開口部が、シール部材により塞がれ、かつ軸方向他端側の開口部が、前記底蓋により塞がれることで、前記収容部が密閉されており、該密閉状態で、該軸部の軸方向一端側が前記軸保持筒部に内嵌固定される。
【００２５】
別の態様では、前記副キャップの軸部が杆状であり、前記収容部が、前記主キャップの円筒部の内周面と、該副キャップの軸部の外周面との間に形成されている。
【００２６】
この場合も、さらに、前記主キャップが、前記円輪部より軸方向一方側に突出する取付け円筒部を備え、前記副キャップが該取付け円筒部に嵌合する係合筒部を有し、組み付けられた状態で、前記取付け円筒部の一部と該係合筒部の一部とが軸方向に関して係合されることにより、該副キャップの該主キャップの一部に対する前記軸方向の相対変位が阻止された状態での組付けがなされている。
【００２７】
前記副キャップが、他端面に軸保持筒部を有する前記係合筒部と、該係合筒部とは別体で設けられる前記軸部とからなり、該軸部が前記軸保持筒部に内嵌固定されるようにしてもよい。
【００２８】
前記主キャップの円筒部に、前記底蓋が前記容器の内部空間に落下することを防止する、落下防止構造を備えていることが好ましい。
【００２９】
本発明の実施態様の第１例としては、主キャップと、副キャップと、底蓋とを備え、外周面にネジ部を有する容器の開口部に取り付けられる蓋体構造であって、次の構造を備えるものがあげられる。すなわち、
前記主キャップは、
前記容器の開口部のネジ部と螺合するネジ部を内周面に有する外側円筒部と、
軸方向他端部に軸方向に伸長するスリットと係止リブを有する底部を備え、前記容器の開口部に内嵌する内側円筒部と、
該外側円筒部の一端部を該内側円筒部に連結する円輪部と、
該円輪部から軸方向一方側に突出する取付け円筒部とを備え、
前記副キャップは、
前記取付け円筒部に、相対回転可能に、かつ軸方向の変位が阻止された状態で、外嵌して組み付けられる係合筒部と、
該係合筒部と一体または別体で設けられ、該係合筒部の他端面から軸方向に伸長し、前記主キャップの内側円筒部に内嵌する大径部、および、該大径部の他端部からテーパ部を介して連続し、外周面にネジ部を有する小径部からなり、内周面の内側に中空状の収容部が設けられている軸部とを備え、
前記底蓋は、前記収容部の他端側開口を塞ぎ、内周面に前記副キャップのネジ部と螺合するネジ部を備え、外周面に前記主キャップの係止リブに係合する係止部を備え、
前記副キャップを回転させることで、前記底蓋が軸方向他端側にネジ送りにより変位し、該副キャップから解放されることにより、前記収容部と前記容器の内部空間とが連通するとともに、該底蓋は、前記主キャップの底部に保持される構造である。
【００３０】
第１例では、好ましくは、前記軸部は、前記係合筒部とは別体で設けられており、該軸部の軸方向一端側の開口部が、シール部材により塞がれ、かつ軸方向他端側の開口部が、前記底蓋により塞がれることで、前記軸部の内周面の内側に設けられている収容部が密閉可能となっている。
【００３１】
本発明の実施態様の第２例としても、同様に、主キャップと、副キャップと、底蓋とを備え、外周面にネジ部を有する容器の開口部に取り付けられる蓋体構造であって、次のような構造を備えるものがあげられる。すなわち、
前記主キャップは、
前記容器の開口部のネジ部と螺合するネジ部を内周面に有する外側円筒部と、
軸方向一端部に中央に取付孔を有する蓋部、および、軸方向他端部に軸方向に伸長する係止溝と開口部を備え、前記容器の開口部に内嵌する内側円筒部と、
該外側円筒部の一端部を該内側円筒部に連結する円輪部と、
該円輪部から軸方向一方側に突出する取付け円筒部と、
該内側円筒部の内周面の内側に設けられる中空状の収容部とを備え、
前記副キャップは、
前記取付け円筒部に、相対回転可能に、かつ軸方向の変位が阻止された状態で、外嵌して組み付けられる係合筒部と、
前記係合筒部の他端面から伸長し、前記内側円筒部の蓋部の取付孔に内嵌し、他端部の外周面にネジ部を有する軸部とを備え、
前記底蓋は、
一端側に前記主キャップの他端部の開口部の内径よりも大きい外径を有し、前記主キャップの係止溝に係合する係止部を有する大径部を備え、
他端側に前記主キャップの他端部の開口部に内嵌され、前記収容部の他端側開口を塞ぐ小径部を備え、
さらに、該大径部と小径部を連結し、前記副キャップの軸部の他端側に外嵌し、内周面に該軸部のネジ部と螺合するネジ部を有する底蓋軸部を備え、
前記副キャップを回転させることで、前記底蓋が軸方向他端側にネジ送りにより変位し、前記収容部と前記容器の内部空間とが連通するとともに、前記底蓋の大径部が前記主キャップの開口部に保持される構造である。
【００３２】
本発明の蓋体構造においては、いずれの態様においても、前記容器の開口部と、前記主キャップとの間にシール構造を備えていることが好ましい。
【００３３】
さらに、前記主キャップと、前記副キャップとの間にシール構造を備えていることが好ましい。
【００３４】
いずれの蓋体構造も、ペットボトルなどを飲料容器、その他の、内容物と添加物とを開栓直前まで分離する必要がある容器などに好適に適用される。
【００３５】
なお、本発明の説明においても、原則として、一端側または一方側とは、蓋体構造の軸方向の一方向側（構造の上側、容器の外側、図面の上側）をいい、他端側または他方側とは、蓋体構造の軸方向他方向側（構造の下側、容器の内側、図面の下側）をいうものとする。
【発明の効果】
【００３６】
上述のように構成する、本発明の容器の蓋体構造の場合、従来構造と異なり、副キャップに切り離し部材を設けていないため、蓋体内の収容物を収容部から出す際の動作に、大きな力を必要としない。
【００３７】
また、主キャップに対して、副キャップが軸方向へ変位することがないため、容器を開栓することなく、収容部内の収容物と容器内の物質とを接触させることができる。開栓前の接触が可能になるため、これら収容物と容器内の物質とを十分に混合する必要がある場合でも、内容物が吹き出るおそれなく、そのままの状態で容器を振って混合することができる。
【００３８】
また、容器内の物質が炭酸水、または収容物が発泡錠剤の場合でも、容器を振って発泡しても、容器自体は開栓していないため、溢れ出す問題も生じない。
【００３９】
さらに、飲用する際、蓋体全体を容器の開口部から取り外すため、従来構造と異なり、容器の開口部に維持された主キャップの外筒の外周面と、ペットボトルの開口部の内周面との間に隙間が生じることがない。このため、容器内に飲み残しが残ることはない。
【００４０】
また、収容部を、副キャップを構成する中空状の軸部の内径側に形成し、かつ、該軸部を、副キャップを構成する係合筒部と別体で設けた構造にすれば、原材料の収納性の向上を図ることができる。また、中空状の軸部の一端面をヒートシールなどにより塞ぎ、他端面を蓋体により塞いでいるので、原材料を収容した軸部をカートリッジとして単体で持ち運ぶことができ、流通性の向上を図ることができる。
【００４１】
加えて、容器の開口部と主キャップの間、具体的には、容器の開口部と主キャップの対向する周面同士の間または端面同士の間、および、主キャップと副キャップの間、具体的には、主キャップと副キャップの対向する周面同士の間または端面同士の間に、シール構造を設けている。このため、組付け状態での密封性を高くすることができる。
【００４２】
さらに、蓋部材が容器の内部に落下することを防止する、蓋部材の落下防止構造を設けた上で、蓋体全体が除去されるため、開栓後の外観を向上させることができ、さらに飲用の際、蓋部材を誤飲する心配もない。
【図面の簡単な説明】
【００４３】
【図１】図１は、本発明の実施の形態の第１例について、蓋体構造であるボトルキャップを容器へ組み付けた状態を示す、正面斜視図である。
【図２】図２は、図１からボトルキャップのみを取り出して示す、底蓋が副キャップの軸部に螺合固定されている状態を示す図（Ａ）と、底蓋が軸部から外れている状態を示す図（Ｂ）である。
【図３】図３は、図１のＸ−Ｘ断面図であり、第１例の使用状態において、図２（Ａ）、（Ｂ）とそれぞれ対応し、収容部と容器の内部とが連通する前の状態を示す図（Ａ）と、連通した後の状態を示す図（Ｂ）である。
【図４】図４は、図３のａ部拡大図である。
【図５】図５は、図３のｂ部拡大図である。
【図６】図６は、図３のｃ部拡大図である。
【図７】図７は、図３のｄ部拡大図である。
【図８】図８は、本発明の実施の形態の第２例を示す、図２と同様の図である。
【図９】図９は、第２例についての図３と同様の図であり、軸部および収容物を除いた構造を断面で示したものである。
【図１０】図１０は、第２例の軸部と蓋体とを取り出して示す、正面斜視図である。
【図１１】図１１は、図９のｅ部拡大図である。
【図１２】図１２は、図９のｆ部拡大図である。
【図１３】図１３は、従来のボトルキャップの構造の１例を示す、断面図である。
【発明を実施するための形態】
【００４４】
［実施の形態の第１例］
図１〜７に、本発明の蓋体構造にかかる実施の形態の第１例を示す。本例のボトルキャップ１ａは、主キャップ２ａと、副キャップ３ａと、底蓋４ａとを備える。なお、いずれの部材も、その用途に応じて適切な樹脂材料により形成されるが、飲料容器用の蓋体構造としては、ポロプロピレン（ＰＰ）などのポリマーや、ウレタンゴムなどのエラストマーが好適に用いられる。なお、本発明の蓋体構造は、ペット（ＰＥＴ）ボトルなどの飲料容器に限られず、たとえば、輸送時には容器内の物質と収容部内の収容物を分離し、使用時にこれらを接触および混合させる必要がある各種用途において、具体的には、薬品や医薬品などの調製などの用途において、環状で外周面にネジ部が構成される各種容器に適用される。
【００４５】
主キャップ２ａは、外側円筒部２５と、内側円筒部２６と、取付け円筒部２７とを備え、これらの部材は円輪部３６を介して、一体に形成されている。外側円筒部２５は、容器であるペットボトル５の開口部６に外嵌できる長さに伸長し、その内周面に、ペットボトル５の開口部６の外周面に形成された雄ネジ部２８と螺合される、雌ネジ部２９を備えている。基本的には、通常のペットボトル用のキャップの円筒部と同様の構成である。なお、容器の開口部の内周面に雄ネジ部がある特殊な容器の場合には、主キャップを１つの円筒部から形成し、外周面に該雄ネジ部に螺合される雌ネジ部を形成し、同時に該円筒部が開口部に内嵌されるように構成してもよい。
【００４６】
内側円筒部２６は、外側円筒部２５の内径側に同軸に配され、外側円筒部２５よりも長く伸長し、軸方向一端側を開口し、軸方向他端側に、他端縁から径方向内方へ折り曲げられたフランジ状の底部が形成された有底円筒状の部材である。内側円筒部２６は、軸方向中間部の他端寄り部分から軸方向他端縁の円周方向の複数箇所に、内側円筒部２６の内周面から外周面に貫通する軸方向に長いスリット３１が形成されている。また、内側円筒部２６の軸方向他端側の内周面の円周方向複数箇所で、各スリット３１が形成されていない位置には、径方向内方に突出した回転止めの係止リブ３２（図３参照）が形成されている。
【００４７】
外側円筒部２５と内側円筒部２６とは、軸方向一端縁において、円輪部３６を介して結合している。
【００４８】
取付け円筒部２７は、円筒状の部材であって、円輪部３６の軸方向一端面の径方向中間部から、軸方向一方側（図３の上方）へ突出する状態で設けられている。また、取付け円筒部２７の外周面の軸方向中間部には、全周にわたり、径方向外方へ突出した主キャップ側係合凸部３８（図４参照）が形成されている。
【００４９】
副キャップ３ａは、係合筒部３９と、該係合筒部３９とは別体に設けられた軸部４０とを備えている。このうち、係合筒部３９は、円筒部の軸方向一端側の開口部が塞がれた有底円筒状の部材である。また、係合筒部３９の内径は、主キャップ２ａの取付け円筒部２７の外径よりも大きい。また、係合筒部３９の内周面の軸方向中間部には、全周にわたり、径方向内方へ突出する副キャップ側係合凸部４１（図４参照）が形成されている。副キャップ側係合凸部４１の内径は、取付け円筒部２７の外径よりも大きく、主キャップ側係合凸部３８の外径よりもわずかに小さい。
【００５０】
また、係合筒部３９の底部には、該底部の他端面から、軸方向他方側に突出した円筒状の軸保持筒部４２が一体に形成されている。
【００５１】
軸部４０は、一端側の大径部４４と、他端側の小径部４５と、これら大径部４４と小径部４５とを連結するテーパ部４６とを有する、中空の円筒状の一体成形品である。大径部４４の外径は、係合筒部３９の軸保持筒部４２の内径とほぼ同じかわずかに大きく、主キャップ２ａの内側円筒部２６の内径よりもわずかに小さい。軸部４０の軸方向一端部は、軸保持筒部４２に内嵌固定されている。一方、軸方向他端側にある小径部４５の外周面には、雄ネジ部４７が形成されている。軸部４０は、軸方向一端側の開口部を係合筒部３９の底部により塞がれており、軸部４０の内周面と係合筒部３９の底部により囲まれる空間を収容部２０ａとしている。すなわち、本例では、軸部の内周面の内側に収容部が形成される。
【００５２】
軸部４０の軸方向一端部が係合筒部３９の軸保持筒部４２に内嵌固定されていることから、軸部４０は係合筒部３９に一体に回転可能（相対回転不能）な状態で固定される。なお、軸部４０と係合筒部３９との相対回転を規制するために、さらに軸保持筒部４２の内周面の一部に形成された係合部（図示せず）と、軸部４０の外周面の軸方向一端部に形成された係合部（図示せず）とを係合させている。
【００５３】
なお、図示の例では、軸部４０の軸方向一端側の開口部には、開口部を塞ぐ状態でシート部材４８が接着されている。この場合、軸部４０の軸方向一端側から収容物を収容して、その後、シート部材４８を被せて、その後に軸部４０を軸保持筒部４２に内嵌させることができる。本例の場合、係合筒部３９と軸部４０とを別体に設け、軸部４０の軸方向一端側の開口部をシール部材であるシート部材４８で塞ぎ、軸方向他端側の開口部を後述する底蓋４ａで塞ぐことで収容部２０ａを密封している。このため、原料１９を収容部２０ａに収容した軸部４０をカートリッジとして単体で持ち運びすることができる。なお、軸部を、軸方向一端側が底部により塞がれた有底円筒状にすることもできる、この場合、該底部がシール部材に相当する。また、係合筒部と軸部とを一体に設ける構造にすることもできる。
【００５４】
底蓋４ａは、円筒部５０の軸方向他端側の開口部を底部により塞がれた有底円筒状の部材である。このような円筒部５０の外周面の円周方向複数箇所（本例の場合４箇所）には、軸方向他端から軸方向一端にかけて前記内側円筒部２６の各係止リブ３２と係合可能な係止部である係止溝（図示省略）を設けている。また、円筒部５０の内周面には、副キャップ３ａの軸部４０の他端部にある雄ネジ部４７と螺合される雌ネジ部５２が形成されている。また、円筒部５０の軸方向中間部の円周方向複数箇所には、内周面から外周面に貫通する貫通孔５３が形成されている。
【００５５】
底蓋４ａは、組付け状態で、底蓋４ａの各係止溝と主キャップ２ａの各回転止めリブ３２とが円周方向に関して係合されることで、主キャップ２ａに対する相対回転が阻止される。なお、係止溝に変えて、底蓋４ａの円筒部５０の外周面の円周方向複数箇所に、該外周面よりも径方向外方へ突出する突出部を設け、該突出部と前記各回転止めリブ３２とを円周方向に係合することで相対回転を阻止する構造とすることもできる。また、底蓋４ａは、雌ネジ部５２と、副キャップ３ａの軸部４０の雄ネジ部４７との螺合により構成される送りネジ機構を介して、副キャップ３ａに組み付けられる。この送りネジ機構が、副キャップ３ａの回転運動を、底蓋４ａの軸方向の直線運動に変換する回転力変換機構に相当する。
【００５６】
なお、本例の蓋体構造では、組付け状態で、容器が密閉されるように、複数のシール構造を備えている。
【００５７】
まず、内側円筒部２６の外周面は、軸方向一端寄り部分を大径外周面３４（図５参照）とし、大径外周面３４以外の部分を大径外周面３４の外径よりもやや小さな外径を有する小径外周面３５としている。組付け状態で、大径外周面３４は、ペットボトル５の開口部６の内周面と隙間なく当接する。このようにして、ペットボトル５の開口部６と、主キャップ２ａとの間のシールを図っている。
【００５８】
また、円輪部３６の軸方向他端面の径方向中間部には全周にわたり、該端面から軸方向他方側へ突出したシール用リブ３７（図５参照）が形成されている。組付け状態で、シール用リブ３７は、対向するペットボトル５の開口部６の軸方向一端面と隙間なく当接する。このようにして、ペットボトル５の開口部６と主キャップ２ａとの間のシールを図っている。なお、図５は、シール用リブ３７の自由状態における形状を示している。なお、さらに大きなシール性を要する場合には、シール用リブ３７を形成せず、前記円輪部３６の軸方向他端面と、前記ペットボトル５の開口部６の軸方向一端面との間に、エラストマー、または発泡性樹脂などの円輪状のシール部材を設ける構造とすることもできる。
【００５９】
さらに、係合筒部３９の底部の径方向外端寄りの、取付け円筒部２７の軸方向一端面と整合する位置には、全周にわたりシール用リブ４３（図６参照）が形成されている。また、該シール用リブ４３と対向する主キャップ２ａの取付け円筒部２７の軸方向一端面には全周にわたり係止溝７０が形成されている。組付け状態で、シール用リブ４３は、係止溝７０と係合する。このようにして、主キャップ２ａと、副キャップ３ａとの間のシールを図っている。
【００６０】
加えて、副キャップ３ａの軸部４０において、大径部４４の外周面の軸方向中間部の軸方向に離れた複数箇所（本例では３箇所）には、全周にわたり、径方向外方へ突出したシール用リブ４９（図７参照）が形成されている。組付け状態で、各シール用リブ４９は、シール用リブ４９と対向する主キャップ２ａの内周面と当接する。このようにして、主キャップ２ａと、副キャップ３ａとの間のシールを図っている。なお、図７は、シール用リブ４９の自由状態における形状を示している。
【００６１】
さらに、主キャップ２ａの内側円筒部２６の内周面の軸方向一端寄り部分には、全周にわたりＯリング用係止溝３３（図７参照）が形成されており、Ｏリング用係止溝３３には、Ｏリング５４が係止されている。組付け状態で、Ｏリング５４は、対向する副キャップ３ａの軸部４０の周面と当接して、主キャップ２ａと副キャップ３ａとの間のシールを構成する。なお、図７は、Ｏリング５４の自由状態における形状を示している。また、前記各シール用リブ４９によるシールで十分なシール性を確保できる場合には、該Ｏリング５４によるシール構造を設ける必要はない。
【００６２】
本例のボトルキャップ１ａの組立ては、たとえば、以下のような手順で行う。まず、軸部４０の雄ネジ部４７に、底蓋４ａの雌ネジ部５２を螺合し、軸部４０の軸方向他端側の開口部を塞ぐ。
【００６３】
次に、軸部４０の軸方向一端側の開口部から収容物である原材料１９を収容部２０ａに収容する。次いで、軸部４０の軸方向一端側の開口部を、前記シート部材４８を接着することにより塞いで収容部２０ａを密閉する。接着は、シート部材に熱を加えて一部を溶かして接着する、いわゆるヒートシールなどの任意の方法により行う。
【００６４】
そして、軸部４０の軸方向一端部を、係合筒部３９の軸保持筒部４２に、軸保持筒部４２の内周面の一部に形成された係合部（図示せず）と、軸部４０の外周面の軸方向一端部に形成された係合部（図示せず）とが円周方向に関して係合された状態で、内嵌固定させる。
【００６５】
一方、主キャップ２ａの内側円筒部２６のＯリング用係止溝３３にＯリング５４を組み付けておく。
【００６６】
このようにして組み立てられた副キャップ３ａと主キャップ２ａとを、底蓋４ａの各係止溝と主キャップ２ａの各回転止めリブ３２とが円周方向に関して係合された状態で、軸部４０を、主キャップ２ａの内側円筒部２６に対して、内側円筒部２６の軸方向一端側から押し込むことで、ボトルキャップ１ａとする。この押し込み作業は、副キャップ３ａの係合筒部３９の副キャップ側係合凸部４１が、主キャップ２ａの取付け円筒部２７の主キャップ側係合凸部３８を乗り越えるまで行う（図３参照）。
【００６７】
次いで、主キャップ２ａの外側円筒部２５の雌ネジ部２９と、ペットボトル５の開口部６の雄ネジ部２８とを螺合することで、ボトルキャップ１ａをペットボトル５に対して組み付ける。
【００６８】
なお、本例の場合、主キャップと副キャップとの間には、従来技術における切り離し部のような構造を設けていない。このため、前記ボトルキャップ１ａをペットボトル５に対して組み付けた状態で、該ボトルキャップ１ａと、該ペットボトル５の開口部６の周辺をシュリンクフィルム（図示省略）で覆うことにより、バージンシールの役割を持たせている。なお、主キャップを従来のペットボトル用の蓋体構造と同様に、切り離し部のような構造をもって容器の開口部に組み付けることもできるし、主キャップと副キャップとの間に切り離し部と同様の構造を設けて、副キャップに主キャップに対する回転方向の力が相当程度加わった場合に、これらが分離して相対回転を可能とする構造を採ることもできる。
【００６９】
本例のボトルキャップ１ａを組み付けたペットボトル５内の飲料を飲用する際には、副キャップ３ａを所定の方向へ回転させる。これにより、副キャップ３ａの回転に伴い、主キャップ２ａに対して相対回転を阻止された状態かつ軸方向変位可能な状態で組み付けられた底蓋４ａが、軸方向他方側（図３の下方、ペットボトル５の内側）へと変位する。副キャップ３ａを同方向へさらに回転させると、図３（Ｂ）に示すように、底蓋４ａが、軸部４０から解放され、収容部２０ａとペットボトル５の内部空間２２とが連通し、原材料１９とペットボトル５内の液体とが混合される。なお、底蓋４ａが、軸部４０から解放されても、底蓋４ａは、主キャップ２ａの内側円筒部２６の底部の上に脱落する。このような、底蓋４ａの落下防止構造を設けているため、底蓋４ａがペットボトル５内に脱落することはない。
【００７０】
上述のように構成する、本発明の容器の蓋体構造の場合、副キャップ３ａには従来技術における切り離し部のような構造を設けていないことから、副キャップ３ａを回転させる際に、大きな力が必要とされない。なお、未開封であることの証明は、組付け状態で、ボトルキャップ１ａとペットボトル５の開口部６の周辺部とを覆っている、シュリンクフィルムにより行うことができる。
【００７１】
また、副キャップ３ａの回転では、副キャップ３ａ自体が軸方向に変位することはなく、蓋体としては開栓することない。よって、開栓前の状態において、収容部２０ａ内の原材料１９と、ペットボトル５内の液体とを混合させることができ、かつ、ペットボトル５を振って混合状態を十分にすることができる。また、液体が炭酸水または原材料が発泡錠剤の場合でも、発泡が生じても液体が漏出する問題は生じない。
【００７２】
また、原材料１９の収容部２０ａを、副キャップ３ａを構成する中空状の軸部４０の内径側に形成し、かつ、該軸部４０を、副キャップ３ａを構成する係合筒部３９と別体で設けている。このため、原材料１９の収納性の向上を図ることができる。また、中空状の軸部４０の一端面をヒートシールなどのシート部材４８により塞ぎ、他端面を蓋体４ａにより塞いでいるので、原材料１９を収容した軸部４０をカートリッジとして単体で持ち運ぶことができ、流通性の向上を図ることができる。
【００７３】
また、シート部材４８の色や模様などを、原材料の種類により分けるようにすれば、収容されている原材料の識別を容易に行うことができる。
【００７４】
本発明の容器の蓋体構造の場合、飲用する際に、ボトルキャップ１ａの全体を、ペットボトル５の開口部６から取り外すため、飲み残しの問題も生じない。
【００７５】
さらには、底蓋４ａがペットボトル５の内部空間２２に脱落することはなく、ボトルキャップ１ａの取り外しとともに除去されることから、底蓋４ａの誤飲の問題も生じない。
【００７６】
加えて、ペットボトル５の開口部６の周面と主キャップ２ａの周面との間、および主キャップ２ａの周面と副キャップ３ａの周面との間には、軸部４０の大径外周面３４、シール用リブ３７、４３、４９およびＯリング５４などのシール構造を設けているため、その密封性を著しく向上させることができる。
【００７７】
［実施の形態の第２例］
図８〜１２に、本発明の実施の形態の第２例を示す。本例のボトルキャップ１ｂは、主キャップ２ｂを構成する内側円筒部２６ａの内周面の軸方向一端寄り部分に、蓋部に相当し、径方向内方に突出する内向フランジ５５（図９参照）を設けている。また、内向フランジ５５の径方向内端縁には、取付孔に相当し、内径側に貫通孔を有する軸保持円筒部５６が、内向フランジ５５と一体に形成されている。また、軸保持円筒部５６の内周面の軸方向一端（図９の上側）寄り部分には、全周にわたりＯリング用係止溝５７（図１１参照）が形成されている。また、Ｏリング用係止溝５７には、Ｏリング６９が係止されている。組付け状態で、Ｏリング６９は、Ｏリング６９と対向する副キャップ３ｂの軸部４０ａの外周面と当接する。
【００７８】
また、内側円筒部２６ａの内周面の軸方向他端（図９の下側）寄りの円周方向の複数箇所には、軸方向に長い回転止め係止溝５８が形成されていて、開口部を構成している。このほかの主キャップ２ｂの構造は、実施の形態の第１例の構造とほぼ同様である。
【００７９】
副キャップ３ｂを構成する軸部４０ａを、軸保持円筒部５６の内径よりも小さい外径を有する円杆状または円筒状としている。また、軸部４０ａの外周面の軸方向他端寄り部分には、雄ネジ部６０が形成されている。また、図１１に示すように、軸部４０ａの外周面のうち、軸方向一端寄りで軸保持円筒部５６の内周面と対向する位置の、軸方向に離れた複数箇所（本例の場合３箇所）に、径方向外方に突出するシール用リブ５９を全周にわたり形成している。各シール用リブ５９は、組付け状態で、対向する軸保持円筒部５６の内周面と隙間なく当接する。このようにして、主キャップ２ｂと副キャップ３ｂとの間のシールを図っている。なお、図１１は、前記各シール用リブ５９の自由状態における形状を示している。
【００８０】
また、前記副キャップ３ｂを構成する係合筒部３９ａの底部の円周方向中間部には、該底部から軸方向一方側へ突出する状態で、シール用リブ７１（図１２参照）が形成されている。また、前記主キャップ２ｂの内側円筒部２６ａの軸方向一端面（図１２の上側）の、前記シール用リブ７１と対向する位置には、全周にわたり係止溝７２が形成されている。組付け状態で、図１２に示すように、前記シール用リブ７１と、該係止溝７２とが隙間なく係合される。このようにして、主キャップ２ｂと副キャップ３ｂとの間のシールを図っている。
【００８１】
また、底蓋４ｂは、小径部である蓋部６１と、底蓋軸部である円筒部６２と、大径部である突出部６３（図１０参照）とを備える。このうちの、蓋部６１は、内側円筒部２６ａの軸方向他端側の開口部の内径とほぼ同じか、やや小さい外径を有する。また、蓋部６１の径方向外周面の軸方向中間部の全周にわたり形成されたＯリング用係止溝６４に、Ｏリング６５を係止している。このようにして蓋部６１の径方向外周面と、内側円筒部２６ａの軸方向他端側の開口部の内周面との間にシールを形成している。
【００８２】
また、円筒部６２は、蓋部６１の軸方向一端面の中央部から、軸方向一方側に突出する状態で設けられている。円筒部６２の内周面には、軸部４０ａの雄ネジ部６０と螺合する雌ネジ部６６が形成されている。
【００８３】
突出部６３は、円筒部６２の外周面の軸方向一端部の径方向反対側位置に、径方向外方に突出した状態で形成されており、前記蓋部６１の外径よりも大きい外径を有する。なお、大径部を、軸方向に貫通孔を複数備える円盤状で、径方向の一部に係止溝５８と係合可能な係止部を備える構造により構成してもよい。
【００８４】
このような底蓋４ｂは、組付け状態で、各突出部６３の径方向外端縁と主キャップ２ｂの各回転止め係止溝５８とが円周方向に関して係合されることで、主キャップ２ｂに対する相対回転を阻止される。また、底蓋４ｂは、雌ネジ部６６と、副キャップ３ｂの軸部４０ａの雄ネジ部６０との螺合により構成される送りネジ機構を介して副キャップ３ａに組み付けられている。この送りネジ機構が、副キャップ３ａの回転運動を、底蓋４ｂの軸方方向の直線運動に変換する回転力変換機構に相当する。なお、本例の場合、内側円筒部２６ａの内周面と、軸部４０ａの外周面と、前記底蓋４ｂの蓋部６１の軸方向一端面とで囲まれる部分を、原材料１９を収容する収容部２０ｂとしている。
【００８５】
本例のボトルキャップ１ｂの組立ては、たとえば以下のような手順で行う。まず、主キャップ２ｂの軸保持円筒部５６のＯリング用係止溝５７にＯリング６９を係止した状態で、軸部４０ａの軸方向一端寄り部分を、軸保持円筒部５６の軸方向他端側から挿通する。
【００８６】
次に、軸部４０ａのうち、軸保持円筒部５６よりも軸方向一方側へ突出した部分を、副キャップ３ｂを構成する係合筒部３９ａの底部に形成した、軸保持筒部４２ａの内周面に内嵌固定すると同時に、係合筒部３９ａを、係合筒部３９ａの円筒部の内周面に形成された副キャップ側係合凸部４１ａが、主キャップ２ｂの取付け円筒部２７ａの外周面に形成された主キャップ側係合凸部３８ａを乗り越えるまで押し込む。なお、軸保持筒部４２ａの内周面の断面形状および軸部４０ａの軸方向一端部の断面形状を非円形（たとえば５角形、図１０参照）にすることで、軸部４０ａが、係合筒部３９ａに対して相対回転することを阻止される。このような、軸保持筒部４２ａと軸部４０ａとの相対回転を規制する構造は、実施の形態の第１例のように、それぞれの部材に設けた係合部同士が円周方向に関して係合される構造でもよい。
【００８７】
そして、収容部２０ｂに原材料１９を収容し、底蓋４ｂの雌ネジ部６６と軸部４０ａの雄ネジ部６０とを螺合することで、収容部２０ｂを密閉してボトルキャップ１ｂとする。なお、底蓋４ｂは、突出部６３の径方向外端縁と内側円筒部２６ａの各回転止め係止溝５８とが円周方向に関して係合されることで、主キャップ１ｂに対する相対回転を阻止された状態かつ軸方向の変位可能な状態に組み付けられる。
【００８８】
このようにして組み立てられたボトルキャップ１ｂは、主キャップ２ｂの外側円筒部２５ａの雌ネジ部２９ａと、ペットボトル５の開口部６の雄ネジ部２８とを螺合することで、ペットボトル５に組み付けられる。
【００８９】
なお、本例の場合、従来技術における切り離し部のような構造を設けていない。このため、前記ボトルキャップ１ｂをペットボトル５に対して組み付けた状態で、該ボトルキャップ１ｂと、該ペットボトル５の開口部６の周辺をシュリンクフィルム（図示省略）で覆うことにより、バージンシールの役割を持たせている。
【００９０】
本例のボトルキャップ１ｂを組み付けたペットボトル５内の飲料を飲用する際には、ボトルキャップ１ｂの副キャップ３ｂを所定の方向へ回転させる。これにより、底蓋４ｂが、副キャップ３ｂの回転に伴い、軸方向他方側（図９の下方）へと変位する。副キャップ３ｂを同方向へさらに回転させると、図９（Ｂ）に示すように、底蓋４ｂの蓋部６１と、内側円筒部２６ａとの間に隙間ができる。そして、収容部２０ｂとペットボトル５の内部空間２２とが連通され、原材料１９がペットボトル５の内部空間２２に落下し、原材料１９とペットボトル５内の液体とが混合される。なお、副キャップ３ｂをさらに回転させ、底蓋４ｂを軸方向他方側へさらに変位させようとしても、突出部６３の径方向外端縁が、内側円筒部２６ａの各回転止め係止溝５８の軸方向他端縁に当接し、それ以上軸方向他方側へは変位しない。このため、底蓋４ｂが、軸部４０ａから解放されることはない。このように、突出部６３の径方向外端縁と、内側円筒部２６ａの各回転止め係止溝５８の軸方向他端縁との係合により、底蓋４ｂの落下防止構造が構成される。
【００９１】
上述のように構成する、本発明の容器の蓋体構造の場合、収容部２０ｂを、主キャップ２ｂの内側円筒部２６ａの内周面と、軸部４０ａの外周面との間に形成している。このため、大きな収容部を確保することができる。その他の、作用および効果は実施の形態の第１例と同様である。
【産業上の利用可能性】
【００９２】
本発明は、各実施例に示した、ペットボトルのキャップの構造に限るものではない。キャップの収容部に収容された原材料と、キャップが取り付けられた容器に収容された物質とを混合するような各種用途、たとえば薬品などの実験用容器などに適用することも可能である。前記原材料は、粉末状のものに限らず、液体を用いることもできる。また、容器内の物質も、液体に限るものではない。
【符号の説明】
【００９３】
１、１ａ、１ｂ  ボトルキャップ
２、２ａ、２ｂ  主キャップ
３、３ａ、３ｂ  副キャップ
４、４ａ、４ｂ  底蓋
５  ペットボトル
６  開口部
７  キャップ本体
８  外筒
９  内側フランジ部
１０  雄ネジ部
１１  係合筒部
１２  内筒
１３  円筒部
１４  雌ネジ部
１５  蓋部
１６  切り離し部
１７  切り込み
１８  雄ネジ部
１９  原材料
２０、２０ａ、２０ｂ  収容部
２１  雌ネジ部
２２  内部空間
２３  連結部材
２４  隙間
２５、２５ａ  外側円筒部
２６、２６ａ  内側円筒部
２７、２７ａ  取付け円筒部
２８  雄ネジ部
２９、２９ａ  雌ネジ部
３０  蓋部
３１  スリット
３２  係止リブ
３３  Ｏリング用係止溝
３４  大径外周面
３５  小径外周面
３６  円輪部
３７  シール用リブ
３８、３８ａ  主キャップ側係合凸部
３９、３９ａ  係合筒部
４０、４０ａ  軸部
４１、４１ａ  副キャップ側係合凸部
４２、４２ａ  軸保持筒部
４３  シール用リブ
４４  大径部
４５  小径部
４６  テーパ部
４７  雄ネジ部
４８  シート部材
４９  シール用リブ
５０  円筒部
５２  雌ネジ部
５３  貫通孔
５４  Ｏリング
５５  内向フランジ
５６  軸保持円筒部
５７  Ｏリング用係止溝
５８  回転止め係止溝
５９  シール用リブ
６０  雄ネジ部
６１  蓋部
６２  円筒部
６３  突出部
６４  Ｏリング用係止溝
６５  Ｏリング
６６  雌ネジ部
６９  Ｏリング
７０  係止溝
７１  シール用リブ
７２  折返しフランジ部
【図１】
2011219149.tif 000003
【図２】
2011219149.tif 000004
【図３】
2011219149.tif 000005
【図４】
2011219149.tif 000006
【図５】
2011219149.tif 000007
【図６】
2011219149.tif 000008
【図７】
2011219149.tif 000009
【図８】
2011219149.tif 000010
【図９】
2011219149.tif 000011
【図１０】
2011219149.tif 000012
【図１１】
2011219149.tif 000013
【図１２】
2011219149.tif 000014
【図１３】
2011219149.tif 000015